(57)【要約】【課題】作業性の低下を抑制できるパレット及び荷役用具を提供すること。【解決手段】パレット１０の上面構成部２０は、載置部としての上面デッキボード１１と、側桁部１３，１４及び中間桁部１５のうちの上面デッキボード１１に接続されている部分を含む。側桁部１３，１４及び中間桁部１５は、上面デッキボード１１からその上面デッキボード１１の載置面１１ａとは反対方向に延びている。上面デッキボード１１の載置面１１ａには、滑り止め部材３１，３２が配設されている。滑り止め部材３１は、上面デッキボード１１の側辺１１ｂまたは側辺１１ｂよりの位置に設けられ、滑り止め部材３２は、上面デッキボード１１の側辺１１ｃまたは側辺１１ｃよりの位置に設けられている。滑り止め部材３１，３２，３３の間には、フォーク手段回避部４１，４２が設けられている。【選択図】図１
2020132157.tif 000002
【特許請求の範囲】
【請求項１】
載置面を有する載置部と、
前記載置部から前記載置面と反対側に延びる複数の桁部と、
前記複数の桁部の間に設定されフォーク手段が挿入されるフォーク挿入孔と、
前記載置面において前記載置部の側辺又は側辺よりの位置に配置され、前記載置面よりも上方に突出し、前記フォーク挿入孔の挿通方向と平行である複数の滑り止め部材と、
前記複数の滑り止め部材の間のフォーク手段回避部と、
を備えたパレット。
【請求項２】
フォーク手段回避部は、前記載置面の上に載置されるシートパレットを掬うフォーク手段の幅よりも前記複数の滑り止め部材の間隔を広くするように設けられる、請求項１に記載のパレット。
【請求項３】
前記複数の桁部は、前記側辺と平行な平行桁リブを有し、
前記滑り止め部材における前記載置部の中央側の端部は、前記平行桁リブの前記フォーク挿入孔側の端部と上下方向で同じ位置、又は前記平行桁リブの前記フォーク挿入孔側の端部と上下方向で同じ位置よりも前記載置部の中央側に位置している、
請求項１又は請求項２に記載のパレット。
【請求項４】
前記複数の桁部は、前記載置部において互いに平行な一対の側辺に沿った一対の側桁部を備え、
前記側桁部は、前記フォーク挿入孔の周壁を構成する桁リブを備え、
前記滑り止め部材は、前記桁リブの上方に位置する、
請求項１又は請求項２に記載のパレット。
【請求項５】
前記フォーク手段回避部に対応する領域には、側辺に向けて載置部が薄くなるように傾斜する第１傾斜部と、前記第１傾斜部の外側に向かうにつれて上がるように傾斜する第２傾斜部と、を有する、請求項１〜請求項４の何れか一項に記載のパレット。
【請求項６】
請求項１〜請求項５のいずれか一項に記載のパレットと、
前記パレットの前記滑り止め部材の上に載置されたシートパレットと、
を備えた荷役用具。
【発明の詳細な説明】
【技術分野】
【０００１】
本発明は、荷物の運搬等に使用されるパレット及び荷役用具に関する。
【背景技術】
【０００２】
従来、荷役機械で荷物を搬送する等の際に用いられる各種のパレットが知られている。例えば、特許文献１には、フォークリフト等のフォークを挿入可能としたフォーク差し込み孔が開口されたパレットが開示されている。また、特許文献２には、プッシュプル装置付きフォークリフトで掬い目的地に運ぶシートパレットが開示されている。
【先行技術文献】
【特許文献】
【０００３】
【特許文献１】特開２００７−００８５７４号公報
【特許文献２】特開平１１−２５５２３７号公報
【発明の概要】
【発明が解決しようとする課題】
【０００４】
ところで、荷物を搭載したシートパレットをパレットの上に載置する、又は荷物を搭載したシートパレットをパレットから掬い目的地に運ぶ作業を行う場合がある。このような作業では、シートパレットを安定して支持するために、比較的幅の広いプラテンが用いられる。パレットには、その載置部に荷物の滑りを防止する滑り止め部材が設けられているものがあり、この滑り止め部材によって作業性が低下する虞がある。
【課題を解決するための手段】
【０００５】
上記課題を解決するパレットは、載置面を有する載置部と、前記載置部から前記載置面と反対側に延びる複数の桁部と、前記複数の桁部の間に設定されフォーク手段が挿入されるフォーク差込口と、前記載置面において前記載置部の側辺又は側辺よりの位置に配置され、前記載置面よりも上方に突出し、前記フォーク差込口の挿通方向と平行である複数の滑り止め部材と、前記複数の滑り止め部材の間のフォーク手段回避部と、を備えた。なお、フォーク手段回避部は、載置面よりも上方に突出するものがない領域である。
【０００６】
上記のパレットにおいて、フォーク手段回避部は、前記載置面の上に載置されるシートパレットを掬うフォーク手段の幅よりも前記複数の滑り止め部材の間隔を広くするように設けられることが好ましい。
【０００７】
上記のパレットにおいて、前記複数の桁部は、前記側辺と平行な平行桁リブを有し、前記滑り止め部材における前記載置部の中央側の端部は、前記平行桁リブの前記フォーク挿入孔側の端部と上下方向で同じ位置、又は前記平行桁リブの前記フォーク挿入孔側の端部より上下方向で内側に位置していることが好ましい。
【０００８】
上記のパレットにおいて、前記複数の桁部は、前記載置部において互いに平行な一対の側辺に沿った一対の側桁部を備え、前記側桁部は、前記フォーク挿入孔の周壁を構成する桁リブを備え、前記滑り止め部材は、前記桁リブの上方に位置することが好ましい。
【０００９】
上記のパレットにおいて、前記フォーク手段回避部に対応する領域には、側辺に向けて載置部が薄くなるように傾斜する第１傾斜部と、前記第１傾斜部の外側に向かうにつれて上がるように傾斜する第２傾斜部と、を有することが好ましい。
【００１０】
上記課題を解決する荷役用具は、上記のパレットと、前記パレットの前記滑り止め部材の上に載置されたシートパレットと、を備えた。
【発明の効果】
【００１１】
本発明のパレットによれば、作業性の低下を抑制できるパレット及び荷役用具を提供できる。
【図面の簡単な説明】
【００１２】
【図１】一実施形態のパレットを示す概略斜視図。
【図２】上面構成部を下方から視た概略斜視図。
【図３】上面構成部の概略上面図。
【図４】上面構成部の概略下面図。
【図５】パレットの一部拡大断面図。
【図６】パレットに対するプラテン、シートパレットと物品の搭載を示す概略斜視図。
【図７】パレットに対するプラテン、シートパレットと物品の搭載を示す概略斜視図。
【図８】（ａ），（ｂ）はパレット及びシートパレットとプラテンとの関係を示す説明図。
【図９】変更例のパレットを示す概略斜視図。
【図１０】変更例のパレットに対するプラテン、シートパレットと物品の搭載を示す概略斜視図。
【発明を実施するための形態】
【００１３】
以下、一実施形態を説明する。
図１に示すように、パレット１０は、載置部としての上面デッキボード１１及び下面デッキボード１２を備えている。上面デッキボード１１及び下面デッキボード１２は、それぞれ矩形状である。上面デッキボード１１の外形と下面デッキボード１２の外形は、互いに等しい。上面デッキボード１１は、物品を載置する載置面１１ａを有している。下面デッキボード１２は、パレット１０の接地面を有している。
【００１４】
なお、図１には、上面デッキボード１１において、互いに平行な側辺１１ｄ，１１ｅの延伸方向をＸ方向として示し、側辺１１ｄ，１１ｅと直交する方向の側辺１１ｂ，１１ｃの延伸方向をＹ方向として示している。また、下面デッキボード１２と上面デッキボード１１とが並ぶ方向であって且つ上面デッキボード１１の載置面１１ａに対する垂直方向をＺ方向として示している。
【００１５】
パレット１０は、上面デッキボード１１と下面デッキボード１２との間にＺ方向に延びて上面デッキボード１１と下面デッキボード１２とを結合する桁部１３，１４，１５を有している。桁部１３，１４は、Ｘ方向におけるパレット１０の両端に位置する側桁部である。これらの桁部１３，１４を側桁部１３，１４とする。側桁部１３，１４は、上面デッキボード１１の一対の側辺１１ｂ，１１ｃに沿って延びている。桁部１５は、Ｘ方向において側桁部１３と側桁部１４との間の中央に位置する中間桁部である。この桁部１５を中間桁部１５とする。側桁部１３，１４及び中間桁部１５は、Ｙ方向におけるパレット１０の全幅に設けられている。
【００１６】
桁部１３，１４，１５の間、つまり側桁部１３と中間桁部１５との間、及び側桁部１４と中間桁部１５との間には、フォークリフトのフォーク手段を挿入可能なフォーク挿入孔１６，１７がそれぞれ形成されている。これらのフォーク挿入孔１６，１７は、Ｙ方向においてパレット１０を貫通している。２つのフォーク挿入孔１６，１７の開口は、Ｘ方向に並んでいる。
【００１７】
パレット１０は合成樹脂製パレットであり、上面構成部２０と下面構成部５０とを桁部で溶着することで構成されている。本実施形態において、下面構成部５０は上面構成部２０を上下逆にしたものである。このため、本明細書において、上面構成部２０について説明し、下面構成部５０についての説明を省略する。なお、上面構成部２０と下面構成部５０とをそれぞれ単面形パレットとして用いることもできる。また、上面構成部２０又は下面構成部５０を他の構造の構成部材と溶着してパレットとすることもできる。
【００１８】
上面構成部２０は、載置部としての上面デッキボード１１と、側桁部１３，１４及び中間桁部１５のうちの上面デッキボード１１に接続されている部分を含む。下面構成部５０は、下面デッキボード１２と、側桁部１３，１４及び中間桁部１５のうちの下面デッキボード１２に接続されている部分を含む。即ち、側桁部１３，１４及び中間桁部１５の各々は、上面構成部２０の構成部分と下面構成部５０の構成部分とからなる。
【００１９】
図２、図３及び図４に示すように、側桁部１３，１４及び中間桁部１５は、上面デッキボード１１からその上面デッキボード１１の載置面１１ａとは反対方向に延びている。
側桁部１３は、パレット１０の側壁として機能する外壁２１と、フォーク挿入孔１６の周壁として機能する桁リブ２２とを有している。同様に、側桁部１４は、パレット１０の側壁として機能する外壁２３と、フォーク挿入孔１７の周壁として機能する桁リブ２４とを有している。
【００２０】
中間桁部１５は、フォーク挿入孔１６の周壁として機能する桁リブ２５と、フォーク挿入孔１７の周壁として機能する桁リブ２６とを有している。桁リブ２５と桁リブ２６との間には、補強のための補強リブ２７が設けられている。なお、側桁部１３の外壁２１と桁リブ２２との間、及び側桁部１４の外壁２３と桁リブ２４との間にも同様の補強リブ２７が設けられている。
【００２１】
側桁部１３，１４の桁リブ２２，２４、及び中間桁部１５の桁リブ２５，２６は、フォーク手段として図６及び図７に示すプラテン７１，７２をフォーク挿入孔１６，１７に挿入可能に形成されている。詳述すると、側桁部１３の桁リブ２２と中間桁部１５の桁リブ２５との間隔は、図６及び図７に示すプラテン７１，７２の幅よりも広く設定され、側桁部１４の桁リブ２４と中間桁部１５の桁リブ２６との間隔は、図６及び図７に示すプラテン７１，７２の幅よりも広く設定されている。また、図４に示すように、桁リブ２２，２４，２５，２６は、側辺１１ｂ，１１ｃと平行な平行桁リブ２２ａ，２４ａ，２５ａ，２６ａと、パレット１０の内部から外部に向かうほどフォーク挿入孔１６，１７が拡開するように形成される湾曲した傾斜桁リブ２２ｂ，２４ｂ，２５ｂ，２６ｂを備える。
【００２２】
なお、上面構成部２０における側桁部１３と中間桁部１５との間、及び側桁部１４と中間桁部１５との間には、上面デッキボード１１から載置面１１ａと反対方向に延びる複数の補強リブ２８を備えている。補強リブ２８は、載置面１１ａと反対側の面において、格子状を成している。なお、補強リブ２８は、側辺１１ｄ，１１ｅ側において、パレット１０の内部から外部に向かうほどフォーク挿入孔１６，１７が拡開するように形成される。また、図２及び図４に示すように、フォーク挿入孔１６，１７の開口において、Ｘ方向に配列された補強リブ２８の間隔は、パレット１０の内部における間隔よりも狭い。つまり、補強リブ２８は、フォーク挿入孔１６，１７の開口において、パレット１０の内部よりも密に形成されている。これにより、フォーク挿入孔１６，１７の上方及び下方の部分を補強する。
【００２３】
図１及び図３に示すように、上面デッキボード１１の載置面１１ａには、滑り止め部材３１，３２が配設されている。滑り止め部材３１，３２は、載置面１１ａにおいて、フォーク挿入孔１６，１７の開口が並ぶＸ方向に並んで配設されている。また、各滑り止め部材３１，３２は、フォーク挿入孔１６，１７が延びるＹ方向に沿って延びている。本実施形態において、滑り止め部材３１は、上面デッキボード１１の側辺１１ｂまたは側辺１１ｂよりの位置に設けられ、滑り止め部材３２は、上面デッキボード１１の側辺１１ｃまたは側辺１１ｃよりの位置に設けられている。
【００２４】
また、上面デッキボード１１の載置面１１ａにおいて、フォーク挿入孔１６，１７の開口が並ぶＸ方向の中央には滑り止め部材３３が配設されている。滑り止め部材３３は、他の滑り止め部材３１，３２と同様に、フォーク挿入孔１６，１７が延びるＹ方向に沿って延びている。つまり、滑り止め部材３１，３２，３３は、互いに平行である。
【００２５】
滑り止め部材３１，３２，３３は、上面デッキボード１１に対して、載置面１１ａに載置された物品や後述するシートパレット６１（図６，図７，図８（ａ）参照）を滑り止めする。このような滑り止め部材３１，３２，３３としては、例えばオレフィン系エラストマー等の高分子材料からなる樹脂製テープを用いることができる。
【００２６】
滑り止め部材３１，３２，３３の間には、フォーク手段回避部４１，４２が設けられている。フォーク手段回避部４１，４２は、フォーク手段として図６及び図７に示すプラテン７１，７２の幅よりも、滑り止め部材３１と滑り止め部材３３の間隔、滑り止め部材３２と滑り止め部材３３の間隔を広くするように設けられている。なお、本明細書において、フォーク手段回避部４１，４２とは、載置部である上面デッキボード１１の載置面１１ａよりも上方に突出するものがない領域である。
【００２７】
図８（ａ）及び図８（ｂ）に示すように、プラテン７１の幅をＷＡとする。フォーク挿入孔１６の幅をＷＢとする。この幅ＷＢは、フォーク挿入孔１６を構成する側桁部１３の桁リブ２２と中間桁部１５の桁リブ２５の間隔である。そして、滑り止め部材３１と滑り止め部材３３との間のフォーク手段回避部４１の幅をＷＣとする。この幅ＷＣは、滑り止め部材３１と滑り止め部材３３の間隔である。プラテン７１の幅ＷＡに対して、フォーク挿入孔１６の幅ＷＢとフォーク手段回避部４１の幅ＷＣは大きく設定される。図８（ａ）では、フォーク挿入孔１６の幅ＷＢに対してフォーク手段回避部４１の幅ＷＣが大きく設定されているが、幅ＷＢと幅ＷＣとを同じとしてもよい。また、滑り止め部材３１における上面デッキボード１１の中央側の縁部は、桁リブ２２を構成する平行桁リブ２２ａのフォーク挿入孔１６側の縁部と上下方向で略同じ位置となっている。滑り止め部材３１における上面デッキボード１１の中央側の縁部は、桁リブ２２のフォーク挿入孔１６側の縁部と上下方向において同じ位置、又は桁リブ２２のフォーク挿入孔１６側の縁部と上下方向で同じ位置よりも上面デッキボード１１の中央側に位置していることが好ましい。なお、図示しないが、図１に示す滑り止め部材３２と滑り止め部材３３との間のフォーク手段回避部４２、フォーク挿入孔１７、プラテン７２、滑り止め部材３２と桁リブ２４を構成する平行桁リブ２４ａとの上下方向の位置関係についても同様である。
【００２８】
本実施形態において、滑り止め部材３１，３２は、側桁部１３，１４に対応する位置に配設されている。滑り止め部材３３は、中間桁部１５に対応する位置に配設されている。図４には、滑り止め部材３１，３２，３３が破線で示されている。図４及び図５に示すように、滑り止め部材３１は、側桁部１３の桁リブ２２の上方に位置している。滑り止め部材３１は、載置面１１ａよりも上方に突出している。図４に示すように、滑り止め部材３２は、側桁部１４の桁リブ２４の上方に位置している。図示しないが、滑り止め部材３２は載置面１１ａよりも上方に突出している。図４及び図５に示すように、滑り止め部材３３は、中間桁部１５の桁リブ２５，２６の間であって、補強リブ２７の上方に位置している。滑り止め部材３３は、載置面１１ａよりも上方に突出している。
【００２９】
図４に示すように、上面デッキボード１１において、フォーク挿入孔１６，１７と直交するＸ方向に延びる補強リブ２８ａには、グロメット３５が装着されている。グロメット３５は、フォーク挿入孔１６，１７内に突出するように設けられている。グロメット３５は、例えばオレフィン系エラストマー等の樹脂からなる。グロメット３５は、フォーク挿入孔１６，１７内に挿入されたフォーク手段としてのプラテン７１，７２（図６及び図７参照）に当接し、プラテン７１，７２の上でパレット１０が滑るのを防止する滑り止め部材として機能する。なお、グロメット３５の数を適宜変更してもよく、例えばフォーク挿入孔１６，１７のそれぞれの中央に１つのグロメットを設けてもよい。
【００３０】
（作用）
次に、上記のパレット１０の作用を説明する。
図６及び図７に示すように、パレット１０の載置面１１ａにはシートパレット６１が載置され、そのシートパレット６１の上面に物品６２が載置される。パレット１０とシートパレット６１は荷役用具を構成する。フォークリフトのプラテン７１，７２をパレット１０とシートパレット６１との間に挿入し、プッシュプル機構によってシートパレット６１及び物品６２をプラテン７１，７２により掬い、他の場所へ移動する、またはシートパレット６１及び物品６２をパレット１０の上に載置する。また、プッシュプル機構により、シートパレット６１上の物品６２をパレット１０上に移載する。
【００３１】
このとき、図８（ａ）及び図８（ｂ）に示すように、滑り止め部材３１と滑り止め部材３３との間にはフォーク手段回避部４１が設定されている。このフォーク手段回避部４１の幅ＷＣは、プラテン７１の幅ＷＡよりも広い。したがって、プラテン７１を滑り止め部材３１と滑り止め部材３３との間に配置することにより、プラテン７１が滑り止め部材３１，３３に接触しないので、パレット１０に対してプラテン７１を容易に移動させることができ、作業性の低下が抑制される。また、プラテン７１が滑り止め部材３１，３３に接触しないので、滑り止め部材３１，３３がプラテン７１により傷ついたり滑り止め部材３１，３３が載置面１１ａから剥がれたりすることが抑制される。
【００３２】
図１，図３に示すように、パレット１０の上面デッキボード１１の載置面１１ａにおいて、一対の側辺１１ｂ，１１ｃに沿って滑り止め部材３１，３２が設けられている。これらの滑り止め部材３１，３２を目標として、２つのプラテン７１，７２を２つの滑り止め部材３１，３２の間に配設するようにフォークリフトを操作することで、プラテン７１，７２をフォーク手段回避部４１，４２に容易に配置できる。同様の操作により、プラテン７１，７２をパレット１０の桁部１３，１４，１５に当てることなく、プラテン７１，７２をパレット１０のフォーク挿入孔１６，１７に容易に挿入できる。
【００３３】
図１、図３に示すように、パレット１０の上面デッキボード１１の載置面１１ａの中央には滑り止め部材３３が配設されている。中央の滑り止め部材３３を目標として、２つのプラテン７１，７２の中央がパレット１０の滑り止め部材３３と一致するようにフォークリフトを操作することで、プラテン７１，７２をフォーク手段回避部４１，４２に容易に配置できる。同様の操作により、プラテン７１，７２をパレット１０の桁部１３，１４，１５に当てることなく、プラテン７１，７２をパレット１０のフォーク挿入孔１６，１７に容易に挿入できる。
【００３４】
パレット１０のフォーク挿入孔１６，１７の幅ＷＢは、プラテン７１，７２の幅ＷＡよりも広い。したがって、プラテン７１，７２を用いることにより、シートパレット６１及び物品６２を載置したパレット１０を移動させることができる。フォーク挿入孔１６，１７の幅ＷＢがプラテン７１，７２の幅ＷＡより狭いと、プラテン７１，７２を用いてシートパレット６１及び物品６２をパレットに載置した後、通常の幅のフォークを有するフォークリフトを用いてパレットを移動させる必要がある。このような場合、１人の作業者がフォークリフトを乗り換えたり、それぞれのフォークリフトを別々の作業者が操作したりすることになる。この点、プラテン７１，７２を有するフォークリフトでパレット１０に対するシートパレット６１及び物品６２の載置、掬いと、シートパレット６１及び物品６２を載置したパレット１０の移動とを行うことができ、作業効率が向上する。
【００３５】
滑り止め部材３１，３２における上面デッキボード１１の中央側の縁部は、桁リブ２２，２４を構成する平行桁リブ２２ａ，２４ａのフォーク挿入孔１６側の縁部と上下方向で同じ位置又は滑り止め部材３１における上面デッキボード１１の中央側の縁部が桁リブ２２のフォーク挿入孔１６側の縁部より上下方向で内側に位置している。したがって、これらの滑り止め部材３１，３２を目標として、プラテン７１，７２をパレット１０の桁部１３，１４に当てることなく、プラテン７１，７２をパレット１０のフォーク挿入孔１６，１７に容易に挿入できる。
【００３６】
図４に示すように、滑り止め部材３１，３２は、桁リブ２２，２４の上方に位置している。滑り止め部材３１，３２は、例えば熱溶着により上面デッキボード１１に取り付けるときに、滑り止め部材３１，３２を上面デッキボード１１に押し付けられる。このとき、桁リブ２２，２４が押圧力を受け止めるため、滑り止め部材３１，３２を上面デッキボード１１に対して安定して取り付けることができる。
【００３７】
パレット１０の中央の滑り止め部材３３は、図５に示すように、桁リブ２５，２６の間の補強リブ２７の上方に位置している。滑り止め部材３３を熱溶着により上面デッキボード１１に取り付けるとき、滑り止め部材３３に対する押圧力を、補強リブ２７及びその補強リブ２７の両側の桁リブ２５，２６が受け止めるため、滑り止め部材３３を上面デッキボード１１に対して安定して取り付けることができる。
【００３８】
以上記述したように、本実施形態によれば、以下の効果を奏する。
（１）パレット１０の上面構成部２０は、載置部としての上面デッキボード１１と、側桁部１３，１４及び中間桁部１５のうちの上面デッキボード１１に接続されている部分を含む。側桁部１３，１４及び中間桁部１５は、上面デッキボード１１からその上面デッキボード１１の載置面１１ａとは反対方向に延びている。上面デッキボード１１の載置面１１ａには、滑り止め部材３１，３２が配設されている。滑り止め部材３１は、上面デッキボード１１の側辺１１ｂまたは側辺１１ｂよりの位置に設けられ、滑り止め部材３２は、上面デッキボード１１の側辺１１ｃまたは側辺１１ｃよりの位置に設けられている。滑り止め部材３１，３２，３３の間には、フォーク手段回避部４１，４２が設けられている。
【００３９】
フォーク手段回避部４１，４２は、フォーク手段として図６及び図７に示すプラテン７１，７２の幅よりも、滑り止め部材３１と滑り止め部材３３の間隔、滑り止め部材３２と滑り止め部材３３の間隔を広くするように設けられている。プラテン７１，７２が滑り止め部材３１，３２，３３に接触しないので、パレット１０に対してプラテン７１，７２を容易に移動させることができ、作業性の低下を抑制できる。
【００４０】
（２）パレット１０の上面デッキボード１１の載置面１１ａにおいて、一対の側辺１１ｂ，１１ｃに沿って滑り止め部材３１，３２が設けられている。これらの滑り止め部材３１，３２を目標として、２つのプラテン７１，７２を２つの滑り止め部材３１，３２の間に配設するようにフォークリフトを操作することで、プラテン７１，７２をフォーク手段回避部４１，４２に容易に配置できる。同様の操作により、プラテン７１，７２をパレット１０の桁部１３，１４，１５に当てることなく、プラテン７１，７２をパレット１０のフォーク挿入孔１６，１７に容易に挿入でき、作業性を向上できる。
【００４１】
（３）パレット１０の上面デッキボード１１の載置面１１ａの中央には滑り止め部材３３が配設されている。中央の滑り止め部材３３を目標として、２つのプラテン７１，７２の中央がパレット１０の滑り止め部材３３と一致するようにフォークリフトを操作することで、プラテン７１，７２をフォーク手段回避部４１，４２に容易に配置できる。同様の操作により、プラテン７１，７２をパレット１０の桁部１３，１４，１５に当てることなく、プラテン７１，７２をパレット１０のフォーク挿入孔１６，１７に容易に挿入でき、作業性を向上できる。
【００４２】
（４）パレット１０のフォーク挿入孔１６，１７の幅ＷＢは、プラテン７１，７２の幅ＷＡよりも広い。したがって、プラテン７１，７２を用いることにより、シートパレット６１及び物品６２を載置したパレット１０を移動させることができる。フォーク挿入孔１６，１７の幅ＷＢがプラテン７１，７２の幅ＷＡより狭いと、プラテン７１，７２を用いてシートパレット６１及び物品６２をパレットに載置した後、通常の幅のフォークを有するフォークリフトを用いてパレットを移動させる必要がある。このような場合、１人の作業者がフォークリフトを乗り換えたり、それぞれのフォークリフトを別々の作業者が操作したりすることになる。この点、プラテン７１，７２を有するフォークリフトでパレット１０に対するシートパレット６１及び物品６２の載置、掬いと、シートパレット６１及び物品６２を載置したパレット１０の移動とを行うことができ、作業効率が向上する。
【００４３】
（５）滑り止め部材３１，３２は、桁リブ２２，２４の上方に位置している。滑り止め部材３１，３２は、例えば熱溶着により上面デッキボード１１に取り付けるときに、滑り止め部材３１，３２を上面デッキボード１１に押し付けられる。このとき、桁リブ２２，２４が押圧力を受け止めるため、滑り止め部材３１，３２を上面デッキボード１１に対して安定して取り付けることができる。
【００４４】
（６）パレット１０の中央の滑り止め部材３３は、図５に示すように、桁リブ２５，２６の間の補強リブ２７の上方に位置している。滑り止め部材３３を熱溶着により上面デッキボード１１に取り付けるとき、滑り止め部材３３に対する押圧力を、補強リブ２７及びその補強リブ２７の両側の桁リブ２５，２６が受け止めるため、滑り止め部材３３を上面デッキボード１１に対して安定して取り付けることができる。
【００４５】
（変更例）
尚、上記実施形態は、以下の態様で実施してもよい。
・上記実施形態における滑り止め部材３３を省略してもよい。
【００４６】
・図９に示すように、パレット１０の中央部分に２つの滑り止め部材３３ａ，３３ｂを配置してもよい。これらの滑り止め部材３３ａ，３３ｂは、図４及び図５に示す桁リブ２５，２６の上方に配設される。このように、２つの滑り止め部材３３ａ，３３ｂを配設することで、パレット１０上の部材を滑り止めできる。
【００４７】
・図９に示すように、パレット１０の側辺１１ｄ，１１ｅにおいて、フォーク手段回避部４１，４２に対応する領域に第１傾斜部１１ｆ，１１ｇ及び第２傾斜部１１ｈ，１１ｉを形成してもよい。第１傾斜部１１ｆ，１１ｇは、上面デッキボード１１の厚さが側辺１１ｄ，１１ｅに向かうほど薄くなるように形成される。なお、第１傾斜部１１ｆ，１１ｇは、Ｘ方向に延びている。また、第１傾斜部１１ｆ，１１ｇにおけるＸ方向の両端部に、第１傾斜部１１ｆ，１１ｇの外側に向かうにつれて上るように傾斜する第２傾斜部１１ｈ，１１ｉを設けても良い。図１０に示すように、第１傾斜部１１ｆ，１１ｇと第２傾斜部によってプラテン７１，７２をパレット１０とシートパレット６１との間に容易に挿入でき、作業性を向上できる。
【符号の説明】
【００４８】
１０…パレット、１１…上面デッキボード（載置部）、１１ａ…載置面、１１ｂ，１１ｃ…側辺、１１ｆ，１１ｇ…第１傾斜部、１１ｈ，１１ｉ…第２傾斜部、１３，１４…桁部（側桁部）、１５…桁部（中間桁部）、１６，１７…フォーク挿入孔、２２，２４，２５，２６…桁リブ、２２ａ，２４ａ，２５ａ，２６ａ…平行桁リブ、３１，３２，３３，３３ａ，３３ｂ…滑り止め部材、４１，４２…フォーク手段回避部、６１…シートパレット、６２…物品、７１，７２…プラテン（フォーク手段）。
【図１】
2020132157.tif 000003
【図２】
2020132157.tif 000004
【図３】
2020132157.tif 000005
【図４】
2020132157.tif 000006
【図５】
2020132157.tif 000007
【図６】
2020132157.tif 000008
【図７】
2020132157.tif 000009
【図８】
2020132157.tif 000010
【図９】
2020132157.tif 000011
【図１０】
2020132157.tif 000012